【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】画像入出力装置及びその制御方法、並びに制御プログラムを提供する媒体及び制御プログラム
【手続補正２】
【補正対象書類名】明細書
【補正対象項目名】特許請求の範囲
【補正方法】変更
【補正の内容】
【特許請求の範囲】
【請求項１】
画像データを入力する画像入力手段と、
前記画像入力手段で入力した画像データの容量を変更する画像容量変更手段と、
通信媒体に接続する通信手段と、
前記画像入力手段で入力した画像データを、前記通信手段によって所定の電子メールアドレスに送信するか否かを判定するメール送信判定手段と、
前記所定の電子メールアドレスに送信するときは、送信する画像データの容量が所定の上限値を超えているか否かを判定する上限値判定手段と、
前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信する制御手段とを備えたことを特徴とする画像入出力装置。
【請求項２】
前記画像入力手段で入力した画像データを圧縮して記憶する圧縮画像記憶手段を有し、前記画像容量変更手段は、前記圧縮画像記憶手段に記憶された画像データのサイズを変更するように構成したことを特徴とする請求項１に記載の画像入出力装置。
【請求項３】
前記所定の電子メールアドレスを入力又は選択するアドレス入力手段を有することを特徴とする請求項１又は請求項２に記載の画像入出力装置。
【請求項４】
前記送信する画像データの容量の上限値を設定する上限値設定手段を有することを特徴とする請求項１乃至請求項３のいずれかに記載の画像入出力装置。
【請求項５】
前記画像容量変更手段は、解像度を変更する変倍手段であることを特徴とする請求項１乃至請求項４のいずれかに記載の画像入出力装置。
【請求項６】
前記画像容量変更手段は、画像データの解像度を変更する変倍手段と、画像データの圧縮率を変更する再圧縮手段とで構成したことを特徴とする請求項１乃至請求項４のいずれかに記載の画像入出力装置。
【請求項７】
前記画像記憶装置は、前記通信媒体を介して外部に接続されたサーバ装置であることを特徴とする請求項１乃至請求項６のいずれかに記載の画像入出力装置。
【請求項８】
画像データを入力する画像入力手段と、前記画像入力手段で入力した画像データの容量を変更する画像容量変更手段とを備えた画像入出力装置の制御方法において、
前記画像入力手段で入力した画像データを、通信媒体に接続する通信手段を介して所定の電子メールアドレスに送信するか否かを判定するメール送信判定工程と、前記所定の電子メールアドレスに送信するときは、送信する画像データの容量が所定の上限値を超えているか否かを判定する上限値判定工程とを実行し、
前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信することを特徴とする画像入出力装置の制御方法。
【請求項９】
画像データを入力する画像入力手段と、前記画像入力手段で入力した画像データの容量を変更する画像容量変更手段とを備えた画像入出力装置の制御方法を実行するために、コンピュータで読み取り可能な制御プログラムを提供する媒体であって、
前記制御プログラムは、
前記画像入力手段で入力した画像データを、通信媒体に接続する通信手段を介して所定の電子メールアドレスに送信するか否かを判定するメール送信判定ステップと、
前記所定の電子メールアドレスに送信するときは、送信する画像データの容量が所定の上限値を超えているか否かを判定する上限値判定ステップと、
前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信するステップとを備えたことを特徴とする制御プログラムを提供する媒体。
【請求項１０】
画像データを入力する画像入力手段と、前記画像入力手段で入力した画像データの容量を変更する画像容量変更手段とを備えた画像入出力装置の制御方法を実行するために、コンピュータで読み取り可能な制御プログラムであって、
前記画像入力手段で入力した画像データを、通信媒体に接続する通信手段を介して所定の電子メールアドレスに送信するか否かを判定するメール送信判定ステップと、
前記所定の電子メールアドレスに送信するときは、送信する画像データの容量が所定の上限値を超えているか否かを判定する上限値判定ステップと、
前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信するステップとを備えたことを特徴とする制御プログラム。
【手続補正３】
【補正対象書類名】明細書
【補正対象項目名】０００１
【補正方法】変更
【補正の内容】
【０００１】
【発明の属する技術分野】
本発明は、ネットワーク又は公衆回線等の通信媒体に接続された画像入出力装置及びその制御方法、並びに前記制御方法を実現するための制御プログラムを提供する媒体及び制御プログラムに関するものである。
【手続補正４】
【補正対象書類名】明細書
【補正対象項目名】０００５
【補正方法】変更
【補正の内容】
【０００５】
本発明は上記従来の問題点に鑑み、電子メールにて画像送信を行う際に、画像データ容量を上限値以内に抑えて送信した場合であっても、送信先では後に画像品位劣化の少ないデータ容量変更前の画像を取得することが可能となる画像入出力装置及びその制御方法、並びに制御プログラムを提供する媒体及び制御プログラムを提供することを目的とする。
【手続補正５】
【補正対象書類名】明細書
【補正対象項目名】０００６
【補正方法】変更
【補正の内容】
【０００６】
【課題を解決するための手段】
上記目的を達成するために、本発明の画像入出力装置では、原稿から読み取った画像データを入力する画像入力手段と、前記画像入力手段で入力した画像データの容量を変更する画像容量変更手段と、通信媒体に接続する通信手段と、前記画像入力手段で入力した画像データを、前記通信手段によって所定の電子メールアドレスに送信するか否かを判定するメール送信判定手段と、前記所定の電子メールアドレスに送信するときは、送信する画像データの容量が所定の上限値を超えているか否かを判定する上限値判定手段と、前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信する制御手段とを備えたことを特徴とする。
また、本発明の画像入出力装置の制御方法では、画像データを入力する画像入力手段と、前記画像入力手段で入力した画像データの容量を変更する画像容量変更手段とを備えた画像入出力装置の制御方法において、前記画像入力手段で入力した画像データを、通信媒体に接続する通信手段を介して所定の電子メールアドレスに送信するか否かを判定するメール送信判定工程と、前記所定の電子メールアドレスに送信するときは、送信する画像データの容量が所定の上限値を超えているか否かを判定する上限値判定工程とを実行し、前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信することを特徴とする。
また、本発明の制御プログラムを提供する媒体では、画像データを入力する画像入力手段と、前記画像入力手段で入力した画像データの容量を変更する画像容量変更手段とを備えた画像入出力装置の制御方法を実行するために、コンピュータで読み取り可能な制御プログラムを提供する媒体であって、前記制御プログラムは、前記画像入力手段で入力した画像データを、通信媒体に接続する通信手段を介して所定の電子メールアドレスに送信するか否かを判定するメール送信判定ステップと、前記所定の電子メールアドレスに送信するときは、送信する画像データの容量が所定の上限値を超えているか否かを判定する上限値判定ステップと、前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信するステップとを備えたことを特徴とする。
また、本発明の制御プログラムでは、画像データを入力する画像入力手段と、前記画像入力手段で入力した画像データの容量を変更する画像容量変更手段とを備えた画像入出力装置の制御方法を実行するために、コンピュータで読み取り可能な制御プログラムであって、前記画像入力手段で入力した画像データを、通信媒体に接続する通信手段を介して所定の電子メールアドレスに送信するか否かを判定するメール送信判定ステップと、前記所定の電子メールアドレスに送信するときは、送信する画像データの容量が所定の上限値を超えているか否かを判定する上限値判定ステップと、前記送信する画像データの容量が所定の上限値を超えている場合には、当該画像データを画像記憶装置に送信して記憶すると共に、前記画像容量変更手段によって当該画像データの容量が前記上限値以内になるように変更し、その変更された画像データと併せて前記画像記憶装置の格納先情報を前記所定の電子メールアドレスに送信するステップとを備えたことを特徴とする。
【手続補正６】
【補正対象書類名】明細書
【補正対象項目名】０１４０
【補正方法】削除
【補正の内容】
【手続補正７】
【補正対象書類名】明細書
【補正対象項目名】０１４１
【補正方法】削除
【補正の内容】
【手続補正８】
【補正対象書類名】明細書
【補正対象項目名】０１４２
【補正方法】削除
【補正の内容】
【手続補正９】
【補正対象書類名】明細書
【補正対象項目名】０１４３
【補正方法】削除
【補正の内容】
【手続補正１０】
【補正対象書類名】明細書
【補正対象項目名】０１４４
【補正方法】削除
【補正の内容】
【手続補正１１】
【補正対象書類名】明細書
【補正対象項目名】０１４５
【補正方法】削除
【補正の内容】
【手続補正１２】
【補正対象書類名】明細書
【補正対象項目名】０１４６
【補正方法】削除
【補正の内容】
【手続補正１３】
【補正対象書類名】明細書
【補正対象項目名】０１４７
【補正方法】削除
【補正の内容】
【手続補正１４】
【補正対象書類名】明細書
【補正対象項目名】０１４８
【補正方法】削除
【補正の内容】
【手続補正１５】
【補正対象書類名】明細書
【補正対象項目名】０１４９
【補正方法】削除
【補正の内容】
【手続補正１６】
【補正対象書類名】明細書
【補正対象項目名】０１５０
【補正方法】削除
【補正の内容】